(57)【要約】【課題】電池電圧の低下状態を検出した時に需要家がガス器具を使用している場合、安全を確保しつつ使い勝手を向上する。【解決手段】電池電源手段２と、遮断手段３と、電圧検出手段５と、検出電圧が所定電圧以下のときに異常と判定して遮断信号を出力する電圧異常判定手段１３と、遮断信号出力時流量なしを検出するまで遅延する遮断信号遅延手段１４と、遮断信号出力時電圧低下警告表示出力する電圧警告出力手段１５と、検出電圧が所定電圧以下のときに所定時間計測する時間計測手段７と、遮断手段３を復帰させる信号を出力する復帰手段８と、時間計測手段７で所定時間経過した場合または所定時間計測中に異常を検出したとき復帰信号を入力禁止とし遮断手段３に遮断出力を行う復帰禁止手段９と、電圧警告判定手段１４からの警告信号により電圧低下を表示通知する報知手段４を備えたものである。【選択図】  図３
2007107875.tif 000002
【特許請求の範囲】
【請求項１】
電源を供給する電池電源手段と、ガス流量を検出する流量検出手段と、ガス媒体の供給や遮断を行う遮断手段と、前記電池電源手段の供給電圧を監視する電圧検出手段と、前記電圧検出手段で所定電圧以下を検出時異常と判定し前記遮断手段の駆動信号を出力する電圧異常判定手段と、前記電圧異常判定手段により遮断信号出力時前記流量検出手段の出力信号より流量無を検出する迄前記電圧異常判定手段の遮断出力信号を遅延させる遮断信号遅延手段と、前記遮断信号遅延手段による遮断出力遅延時電池低下警告表示出力を行う電圧警告出力手段と、前記電圧検出手段で所定電圧以下を検出時所定時間計測する時間計測手段と、前記流量検出手段で検出した観測値が異常使用量か否かを判定し異常判定時前記遮断手段を駆動する異常判定手段と、前記遮断手段をガス供給可能状態に復帰させる信号を出力する復帰手段と、前記時間計測手段で所定時間経過した場合或いは前記時間計測手段で所定時間計測中に前記異常判定手段により異常検知時復帰信号を入力禁止とし前記遮断手段に遮断出力を行う復帰禁止手段と、前記電圧異常判定手段により電池低下判定すると表示通知する報知手段とを備えたガス遮断装置。
【発明の詳細な説明】
【技術分野】
【０００１】
本発明は、都市ガスやＬＰガス等を利用するガス器具の使用状態を監視するガス遮断装置に関し、特に電池電源の電源容量消耗時の安全性を確保するガス遮断装置に関する。
【背景技術】
【０００２】
従来のこの種のガス遮断装置は、例えば特開平１０−１０３５４６号公報に示されるような構成になっていた。図４はこのガス遮断装置のブロック図を示す。
【０００３】
図４のガス遮断装置２１において、２２は電池電源で、ガス遮断装置全体に電源を供給する。２３は遮断弁で、流路でのガスの供給を停止したり、供給したりする。２４は電圧低下検出部で、所定の動作保証時間内でガス遮断装置１の動作が可能な電池電源２２の容量が残されている消耗状態の電池電圧を検知して電圧低下信号Ａを出力する。２５は開栓受付部で、電圧低下信号Ａが入力された時から遮断弁の開栓受付を行って、開栓要求（開栓要求スイッチ又は通信による開栓信号の入力）があった時に開栓要求信号Ｃを出力する。２６はタイマ部で、電圧低下信号Ａが入力された時から所定の動作保証時間をカウントして開栓終了信号Ｄを出力する。２７は開栓機能停止部で、開栓終了信号Ｄが入力されたときに開栓要求信号Ｃによる開栓を停止する閉栓停止信号Ｅを出力する。２８はガス遮断制御部で、電池電圧低下信号Ａ又は閉栓停止信号Ｅが入力された時遮断弁２３を閉栓動作させ、閉栓停止信号Ｅの入力信号以前に開栓要求信号Ｃが入力された時には遮断弁２３を開栓させる。
【０００４】
次に従来例の構成の動作を説明する。電池電源２２の消耗度をチェックしている電圧低下検出部２４が電池消耗電圧を検出したとき、電圧低下信号Ａを開栓受付部２５とタイマ部２６とガス遮断制御部２８に出力する。電圧低下信号Ａが入力されたガス遮断制御部２８は、第一の遮断命令信号Ｂ１を出力して遮断弁２３を動作させ、ガス通路の閉栓を実行する。タイマ部２６は電圧低下信号Ａが入力されるとカウント開始し、このタイマ部２６により所定時間のカウント終了する迄の間に、開栓受付部２５に開栓要求があり、開栓要求信号Ｃが出力された時には、ガス遮断制御部２８は遮断弁２３を開栓する。タイマ部２６でカウント終了したとき、開栓終了信号Ｄが出力されるので、開栓機能停止部２７は閉栓停止信号Ｅを出力して開栓要求の受付を停止する。閉栓停止信号Ｅが入力されたガス遮断装置２１は第２の遮断命令信号Ｂ２を出力して遮断弁２３を閉栓する。
【０００５】
都市ガス、ＬＰガス等の媒体ガスの流れる流路に取り付けられたガス遮断装置１において、電圧低下検出部２４は所定時間間隔毎に電池電源２２の電圧を測定し電池の消耗度を監視している。予めガス遮断装置２１を動作させ得る下限値の電圧を動作保証電圧として設定しておき、ここから所要の日数分逆上った時の電圧値を電池消耗電圧として設定する。電圧低下検出部２４は、電池電圧を監視してこの消耗時の電池電圧を検出する。即ち所要日数分だけ電池消耗電圧が検出されてから電池電源２２の電圧が動作保証電圧迄低下する期間だけ遮断弁２３の開栓が可能としてガス遮断装置２１を交換するまでの猶予期間を設けたものである。
【発明の開示】
【発明が解決しようとする課題】
【０００６】
しかしながら上記従来の構成では下記問題点があった。電圧低下検出部２４が所定の消耗状態の電池電圧を検知して電圧低下信号Ａを出力しタイマ部２６がカウント開始すると共に、ガス遮断制御部２８により遮断弁２３を駆動しガス供給停止を行うが、この時需要家がガス器具を使用している場合があり、例えばガス給湯器より沸かした湯をシャワーなどに使用している場合があり、突然冷水を浴びたりして需要家がびっくりしたりしたりする場合があり、又調理中の場合には煮炊きが出来ず使い勝手が悪いという問題点がある。
【０００７】
本発明は上記課題を解決するもので、電池電圧の低下状態を検出した時ガス需要家がガス器具を使用している場合、安全を確保しつつ使い勝手を向上させ安全性や信頼性の高いガス遮断装置を提供することを目的としたものである。
【課題を解決するための手段】
【０００８】
この課題を解決するために本発明は、電源を供給する電池電源手段と、ガス流量を検出する流量検出手段と、ガス媒体の供給や遮断を行う遮断手段と、前記電池電源手段の供給電圧を監視する電圧検出手段と、前記電圧検出手段で所定電圧以下を検出時異常と判定し前記遮断手段の駆動信号を出力する電圧異常判定手段と、前記電圧異常判定手段により遮断信号出力時前記流量検出手段の出力信号より流量無を検出する迄前記電圧異常判定手段の遮断出力信号を遅延させる遮断信号遅延手段と、前記遮断信号遅延手段による遮断出力遅延時電池低下警告表示出力を行う電圧警告出力手段と、前記電圧検出手段で所定電圧以下を検出時所定時間計測する時間計測手段と、前記流量検出手段で検出した観測値が異常使用量か否かを判定し異常判定時前記遮断手段を駆動する異常判定手段と、前記遮断手段をガス供給可能状態に復帰させる信号を出力する復帰手段と、前記時間計測手段で所定時間経過した場合或いは前記時間計測手段で所定時間計測中に前記異常判定手段により異常検知時復帰信号を入力禁止とし前記遮断手段に遮断出力を行う復帰禁止手段と、前記電圧異常判定手段により電池低下判定すると表示通知する報知手段とからなる。
【０００９】
上記発明によれば、電圧検出手段により電池電源の供給電圧が所定電圧以下であるのを検出すると時間計測手段による時間計測をスタートさせると共に、直ちに電圧異常判定手段により電池電圧低下異常として需要家、或いはガス事業者に通知する意味で遮断信号を出力するが、この時需要家宅でガス器具を使用しているかどうかを流量検出手段で流量信号を検出し、その結果遮断信号遅延手段で流量信号が所定値以上あると判定した場合、需要家がガス器具を使用中として遮断信号の出力を遅延させると共に、電池電圧低下状態であることは需要家あるいはガス事業者に早く通知すべく報知手段により電池低下状態の警告表示を行ったり、通信手段により電話回線等を利用しガス事業者の保安センターへ電池低下異常の通報を行い、ガス供給遮断による電池低下状態の認識をさせる。すなわちガス器具を使用されていたため即座に遮断出来ない場合があるが、電池電圧低下検出時にこれを通報することによりいち早くガス事業者にガス遮断装置の交換などの対応を行わせることが可能となり、安全性や信頼性が向上する。
【発明の効果】
【００１０】
本発明のガス遮断装置は、電池電源の供給電圧が電圧検出手段により所定値以下を検出すると電圧異常判定手段で異常と判定し遮断信号を出力するが、ガス需要家がガス器具使用中ならば遮断信号が遅延され、電圧警告出力手段により報知手段を介してガス需要家、ガス供給事業者に電池電圧異常を通知するので、即座に電池電圧異常と判断でき、且つガス遮断装置交換などの緊急措置をとれ遮断手段を遮断することにより電圧異常と判明させるわけではないので遮断手段の復帰操作やガス器具の点検などの手間が省け、ガス事業者の省力になり且つ安全性や信頼性及び使い勝手が極めて向上する効果がある。
【発明を実施するための最良の形態】
【００１１】
上記目的を達成するため本発明は、電源を供給する電池電源手段と、ガス流量を検出する流量検出手段と、ガス媒体の供給や遮断を行う遮断手段と、前記電池電源手段の供給電圧を監視する電圧検出手段と、前記電圧検出手段で所定電圧以下を検出時異常と判定し前記遮断手段の駆動信号を出力する電圧異常判定手段と、前記電圧異常判定手段により遮断信号出力時前記流量検出手段の出力信号より流量無を検出する迄前記電圧異常判定手段の遮断出力信号を遅延させる遮断信号遅延手段と、前記遮断信号遅延手段による遮断出力遅延時電池低下警告表示出力を行う電圧警告出力手段と、前記電圧検出手段で所定電圧以下を検出時所定時間計測する時間計測手段と、前記流量検出手段で検出した観測値が異常使用量か否かを判定し異常判定時前記遮断手段を駆動する異常判定手段と、前記遮断手段をガス供給可能状態に復帰させる信号を出力する復帰手段と、前記時間計測手段で所定時間経過した場合或いは前記時間計測手段で所定時間計測中に前記異常判定手段により異常検知時復帰信号を入力禁止とし前記遮断手段に遮断出力を行う復帰禁止手段と、前記電圧異常判定手段により電池低下判定すると表示通知する報知手段とからなる。
【００１２】
そして、電圧検出手段により電池電源の供給電圧が所定電圧以下であるのを検出すると時間計測手段による時間計測をスタートさせると共に、直ちに電圧異常判定手段により電池電圧低下異常として需要家、或いはガス事業者に通知する意味で遮断信号を出力するが、この時需要家宅でガス器具を使用しているかどうかを流量検出手段で流量信号を検出し、その結果遮断信号遅延手段で流量信号が所定値以上あると判定した場合、需要家がガス器具を使用中として遮断信号の出力を遅延させると共に、電池電圧低下状態であることは需要家あるいはガス事業者に早く通知すべく報知手段により電池低下状態の警告表示を行ったり、通信手段により電話回線等を利用しガス事業者の保安センターへ電池低下異常の通報を行い、ガス供給遮断による電池低下状態の認識をさせる。すなわちガス器具を使用されていたため即座に遮断出来ない場合があるが、電池電圧低下検出時にこれを通報することによりいち早くガス事業者にガス遮断装置の交換などの対応を行わせることが可能となり、安全性や信頼性が向上する。
【実施例】
【００１３】
以下、本発明の参考例と実施例を図１、図２、及び図３を参照して説明する。
【００１４】
（参考例１）
図１は本発明の第１の参考例のガス遮断装置を示し、１はガス遮断装置の制御装置で、２はガス遮断装置全体に電源を供給する電池電源手段、５は電圧検出手段で、電池電源手段２の出力電圧を監視し、所定値以下に電圧低下しているのを検出すると電圧低下信号を出力する。６は電圧警告判定手段で、電池電源手段２の供給電圧が電圧検出手段５で所定電圧以下であると電池電圧低下信号が出力されるがその信号を入力すると、電圧低下警告の報知信号を出力し電池低下状態であることを通報する。７は時間計測手段で、電圧検出手段５より電圧低下信号が出力されたのを入力すると、電池電圧低下以降ガス遮断装置が使用可能な時間のカウントを開始する。即ち、ガス器具の使用状態の安全監視を正常な電圧範囲で行える時間のカウントを行う。８は復帰手段で、操作されると遮断手段３にガス供給を開始するため遮断手段３の復帰信号を出力する。９は復帰禁止手段で、復帰手段８からの復帰信号を遮断手段３に出力するか否か判定し、復帰禁止状態でなければ復帰信号を出力し遮断手段３を開放状態にしガス供給可能とする。時間計測手段７で使用可能時間を計測完了すると、即ち所定時間が経過すると復帰禁止手段９に復帰手段８からの復帰指示信号を入力を禁止し、遮断手段３が遮断状態のままであるのを維持する。４は報知手段で、電池電圧低下状態などを表示する、例えばＬＣＤ素子やＬＥＤ素子からなる表示手段であったり、又通信機能を有し(図示せず)公衆電話回線などを利用しガス事業者の保安センターに電池電圧低下異常の通報を行う。
【００１５】
次に上記構成の動作を説明する。ガス遮断装置が設置されガス需要家のガス器具使用状態を監視するが、ガス器具の監視状況下で何らかの原因で異常に電池電源手段２の電池容量を消費し電池電圧が低下すると、電圧検出手段５により電池低下状態を検出する。電圧検出手段５で電池低下を検出すると電圧警告判定手段６、時間計測手段７や復帰禁止手段９に電圧低下状態信号を出力する。電圧警告判定手段６は低下信号状態を検出すると報知手段４に警告信号を出力する。報知手段４により電池低下状態の表示をＬＣＤ素子やＬＥＤ素子等で行う。更にガス供給事業者に電話回線などを通じて電池低下異常状態を通報する。一方、時間計測手段７は電池低下信号状態を検出すると時間カウントを行い、電池電圧低下以降のガス遮断装置の使用可能時間を計測する。所定時間カウントすると復帰禁止手段９に復帰手段８からの信号受付を禁止状態にすると共に、以降ガス器具の異常使用により遮断手段３によりガス供給停止状態になった場合、復帰手段８により遮断手段３の駆動禁止となる。即ちこのことにより以後ガス供給停止を図ることによりガス遮断装置の安全使用可能時間を経過したことを通知する。
【００１６】
このようにしてガス遮断装置の電池電源が電圧検出手段５により所定値以下を検出すると異常と判定し、即座にガス需要家、ガス供給事業者に電池電圧異常を通知するので、電池電圧低下の異常発生時に需要家がガス器具を使用していた場合の安全が確保できる。例えば電池電圧低下を検出した時ガスストーブ等の暖房器具を使用していた場合、突然遮断すると再度ガスを使用するため一度ガスストーブのガスバルブを閉栓して復帰手段８を操作しガス供給されねばならない。ところが誤ってガスバルブを開栓したまま復帰されると生ガスが排出され、トラブルを引き起こしかねないが、まず即座に通報するので、ガス器具使用中の遮断によるトラブルを防止できると共に、その後ガス遮断装置が交換されず継続して使用されても時間計測手段７により所定時間経過したのを検出すると強制的に遮断しガス供給を停止するので、電池電圧の低下状態が加速され遮断することが出来なくなるのを防止でき、安全性や信頼性、及び使い勝手が向上する。
【００１７】
(参考例２)
図２は本発明の第２の参考例のガス遮断装置である。図２において、図１と同一機能を有する構成要素には同一番号を付し説明は省略する。
【００１８】
図２において、１０は流量検出手段で、使用ガス量の検出を行う。流量検出手段は例えば超音波素子を用いて伝搬時間計測を行うことによる流量計測方式、コアンダ効果を利用した流量発振を計測することによる流量計測方式、又は膜式計量部によるガス量計測を適用できる。１１は外部機器手段で、例えばガス漏れ検出を行うガス漏れ警報器であったり、地震を検出する感震手段であったり、又ガス圧力を検出する圧力検出手段であり、ガス漏れや地震を検出したりガス圧力を検出すると信号を出力する。１２は異常判定手段で、流量検出手段１０で検出したガスの使用状態より、例えば一つのガス器具を異常な程長時間したのを検出したり、或いは外部機器手段１１でガス漏れを検出したり、地震を検出すると所定強度以上か判定し所定強度以上の地震と判定すると遮断手段３にガス供給停止するための遮断信号を出力する。
【００１９】
次に上記構成の動作を説明する。ガス遮断装置が設置され流量検出手段１０や外部機器手段１１でガス需要家のガス器具使用状態を監視する。その使用途中で異常な使用を異常判定手段１２で検出すると、例えばガスストーブを異常な長時間使用しているのを検出すると、遮断手段３に遮断信号を出力しガス供給を停止する。このような監視状況下で何らかの原因で異常に電池電源手段２の電池容量を消費し電池電圧が低下すると、電圧検出手段５で電池低下状態を検出する。電圧検出手段５で電池低下を検出すると電圧警告判定手段６、時間計測手段７や復帰禁止手段９に電圧低下状態信号を出力する。電圧警告判定手段６は低下信号状態を検出すると報知手段４に警告信号を出力する。報知手段４により電池低下状態の表示をＬＣＤ素子やＬＥＤ素子等で行う。更にガス供給事業者に電話回線などを通じて電池低下異常状態を通報する。更に、時間計測手段７は電池低下信号状態を検出すると時間カウントを行い電池電圧低下以降のガス遮断装置の使用可能時間を計測する。所定時間カウントすると復帰禁止手段９に復帰手段８からの信号受付を禁止状態にすると共に遮断手段３に遮断出力を行う。このことにより以降のガス供給停止を図りガス遮断装置の安全使用可能時間が経過したことを通知する。ここで、電池電圧低下信号を受けた後時間計測手段７で時間カウント中に、流量検出手段１０や外部機器手段１１により需要家のガス器具の使用状態を検出し、その使用状態を異常判定手段１２で監視しているが、異常状態を検出するとその時点で時間計測手段７の時間カウントを停止し、かつガス使用禁止状態にする。
【００２０】
即ち電池低下信号を受けた後時間計測手段７で時間カウント中に、例えばガスストーブ等を異常な長時間使用したり、或いはガスホースが何らかの原因ではずれた場合異常な高流量が流れるが以上の様な状態を異常判定手段１２で検出し異常と判定すると遮断出力を遮断手段３に出力すると共に、復帰禁止手段９に遮断通知を行う。以降復帰手段８より遮断手段３の復帰出力を入力しても遮断状態を保持する共に復帰信号入力を禁止する。報知手段４を介して以降ガス遮断装置自体を交換しない限りガス供給できない旨を需要家並びにガス供給事業者に通知する。
【００２１】
このようにしてガス遮断装置の電池電源が電圧検出手段５により所定値以下を検出すると異常と判定し即座にガス需要家、ガス供給事業者に電池電圧異常を通知するので、電池電圧低下の異常発生時に需要家がガス器具を使用していた場合の安全が確保できる。例えば電池電圧低下を検出した時ガスストーブ等の暖房器具を使用していた場合、突然遮断すると再度ガスを使用するため一度ガスストーブのガスバルブを閉栓して復帰手段８を操作しガス供給されねばならない。ところが誤ってガスバルブを開栓したまま復帰されると生ガスが排出され、トラブルを引き起こしかねないが、まず即座に通報するのでガス器具使用中の遮断によるトラブルを防止できる。その後ガス遮断装置が交換されず継続して使用されても時間計測手段７により所定時間カウントしている最中に、流量検出手段１０によりガス器具の異常な使用状態を検出した時、或いは外部機器手段１１によりガス漏れやＣＯ漏れを検出した時、或いは感震センサーにより強い地震を検出した時、遮断手段３を駆動しガス供給を停止する。このような場合遮断手段３を駆動すると電池電源の容量を多量に消費するため電池の更なる低下が発生しやすく、ガス器具の使用状態監視を正確に行いにくくなるため、復帰禁止手段９に遮断通知し以降ガス使用するために復帰手段８を介して遮断手段３の復帰操作を禁止し遮断状態を保持すると共に、電圧低下状態で正常に安全監視できなくなるのを防止する。特に冬場の低温状態下或いは夏場の高温状態下の使用環境下で、電池容量の消耗が加速される可能性が高い場合に、上記のように強制的にガス使用を停止することで、ガス利用者に電池電圧異常と通知でき、その結果ガス遮断装置の安全性や使い勝手が向上する。
【００２２】
（実施例）
図３は本発明の実施例のガス遮断装置である。図３において、図１、図２と同一機能を有する構成要素には同一番号を付し説明は省略する。
【００２３】
図３で、１３は電圧異常判定手段で、電池電源手段２からの供給電圧が電圧検出手段５で所定電圧以下であるのを検出すると電池電圧低下信号を入力し、遮断手段３に遮断信号を出力しガス器具の使用を停止する。１４は遮断信号遅延手段で、電池異常判定手段１３より遮断信号が出力されると、ガス器具が使用されているかどうかを流量検出手段１０からの流量信号で判定し、流量信号があれば遮断出力を遅延し、流量信号がなくなれば遮断出力を行う。１５は電池警告出力手段で、遮断信号遅延手段１４で遮断信号が遅延状態になった場合、報知手段４へ電池電圧状態の異常表示及び通報を行う。
【００２４】
次に上記構成の動作を説明する。ガス遮断装置が設置され流量検出手段１０や外部機器手段１１でガス需要家のガス器具使用状態を監視する。その使用途中で異常な使用を異常判定手段１２で検出すると、例えばガスストーブを異常な長時間使用しているのを検出すると、遮断手段３に遮断信号を出力しガス供給を停止する。このような監視状況下で何らかの原因で異常に電池電源手段２の電池容量を消費し電池電圧が低下すると、電圧検出手段５で電池低下状態を検出する。電圧検出手段５で電池低下を検出すると時間計測手段７、復帰禁止手段９、及び電圧異常判定手段１３に低下状態信号を出力する。電圧異常判定手段１３は低下信号状態を検出すると遮断信号遅延手段１４に遮断信号を出力する。遮断信号遅延手段１４では流量検出手段１０の出力信号を判定し、流量信号が入力されれば需要家がガス器具を使用中と判定し遮断信号を遅延させる。その後流量検出手段１０より流量信号が無くなったのを入力するとガス器具の使用停止と判定し、遮断手段３に遮断信号を出力しガス流路を遮断しガスの供給を停止する。同時に報知手段４により電池低下状態の表示をＬＣＤ素子やＬＥＤ素子等で行う。更にガス供給事業者に電話回線などを通じて電池低下異常状態を通報する。ここで電池低下状態を検出した時、需要家がガス器具を使用していた場合遮断手段３によるガス供給停止が遮断信号遅延手段１４により遅延されるが、遅延信号が電圧警告出力手段１５に入力され報知手段４に通報する。即ちガス器具を連続使用する需要家の場合、例えば商売や、業務用の給湯器或いは暖房機を使用していた場合、ガス器具の停止がかなり先となりその間電池電圧低下状態に気付きにくいが、遮断信号の遅延状態に入ったならば直ちに電圧警告出力手段１５により報知手段４に電池低下異常の表示通知を行う。このことにより遮断信号が遅延されても、報知手段４により警告表示されたり又通信手段(図示せず)により公衆電話回線を利用しガス事業者の保安センターに異常通報するので、ガス需要家或いはガス事業者が電池低下異常に気付き即座にガス遮断装置交換などの対応を行える。更に、時間計測手段７は電池低下信号状態を検出すると時間カウントを行い電池電圧低下以降のガス遮断装置の使用可能時間を計測する。所定時間カウントすると復帰禁止手段９に復帰手段８からの信号受付を禁止状態にすると共に遮断手段３に遮断出力を行う。このことにより以降ガス供給停止を図ることによりガス遮断装置の安全使用可能時間を経過したことを通知する。ここで、電池低下信号を受けた後時間計測手段７で時間カウント中に、流量検出手段１０や外部機器手段１１により需要家のガス器具の使用状態を検出し、その使用状態を異常判定手段１２で監視しているが、異常状態を検出するとその時点で時間計測手段７の時間カウントを停止し、かつガス使用禁止状態にする。即ち電池低下信号を受けた後時間計測手段７で時間カウント中に、例えばガスストーブ等を異常な長時間使用したり、或いはガスホースが何らかの原因ではずれた場合、異常な高流量が流れるが、以上の様な状態を異常判定手段１２で検出し異常と判定すると遮断出力を遮断手段３に出力すると共に、復帰禁止手段９に遮断通知を行う。以降復帰手段８よ���遮断手段３の復帰出力を入力しても遮断状態を保持する共に復帰信号入力を禁止する。報知手段４を介して以降ガス遮断装置自体を交換しない限りガス供給できない旨を需要家並びにガス供給事業者に通知する。
【００２５】
このようにしてガス遮断装置の電池電源が電圧検出手段５により所定値以下を検出すると電圧異常判定手段１３で異常と判定し遮断信号を出力するが、ガス需要家がガス器具使用中ならば遮断信号が遅延され、電圧警告出力手段１５により報知手段４を介してガス需要家、ガス供給事業者に電池電圧異常を通知するので、即座に電池電圧異常と判断でき、且つガス遮断装置交換などの緊急措置がとれる。すなわち遮断手段を遮断することにより電圧異常と判明するわけではないので、遮断手段の復帰操作やガス器具の点検などの手間が省け、ガス事業者の省力になるとともに安全性や使い勝手が向上する。
【図面の簡単な説明】
【００２６】
【図１】本発明の第１の参考例におけるガス遮断装置の制御ブロック図
【図２】本発明の第２の参考例におけるガス遮断装置の制御ブロック図
【図３】本発明の実施例におけるガス遮断装置の制御ブロック図
【図４】従来のガス遮断装置の制御ブロック図
【符号の説明】
【００２７】
２電池電源手段
３遮断手段
４報知手段
５電圧検出手段
６電圧警告判定手段
７時間計測手段
８復帰手段
９復帰禁止手段
１０流量検出手段
１１外部機器手段
１２異常判定手段
１３電圧異常判定手段
１４遮断信号遅延手段
１５電圧警告出力手段
【図１】
2007107875.tif 000003
【図２】
2007107875.tif 000004
【図３】
2007107875.tif 000005
【図４】
2007107875.tif 000006